(57)【特許請求の範囲】
【請求項１】
ヘッドの刃台と天板の間に３枚以上の複数の刃を上下に重ね、天板に突設した突軸が各刃に設けられた孔を通って刃台に結合されており、刃台に突設した挟持台には最下刃を除く各刃に当接して天板側との間で前記各刃を挟持する挟持面を設け、天板の突軸には最上刃を除く各刃に当接して刃台側との間で各刃を挟持する挟持面を設け、刃台と天板との間で各刃を互いに間隔を開けて挟着した安全かみそりにおいて、各刃をずらすことにより下側の刃の孔に対してその上側の刃の孔が後方にずれるように各刃は重ねられ、前記挟持台は最上刃を除く各刃の孔を通って最上刃に当接し、且つ前記挟持台が前記突軸の前側に存在する状態で突軸と挟持台は同じ孔を通ってそれぞれ各刃を挟持することを特徴とする安全かみそり。
【請求項２】
各刃は前記孔を含めた外形が同一である請求項１記載の安全かみそり。
【請求項３】
差込スペーサーがヘッドの後端開放口から刃の間に差し込まれ固定されている請求項１又は請求項２記載の安全かみそり
【請求項４】
差込スペーサーの基端部から高さを異にして複数の差込片が突出し、各差込片は該当する各刃の間に差し込まれている請求項３記載の安全かみそり
【請求項５】
上下に隣合う差込片の少なくとも一方の差込片は横方向に複数設けられ、前記上下に隣合う差込片は横方向に交互に並んでいる請求項４記載の安全かみそり
【発明の詳細な説明】
【０００１】
【発明の属する技術分野】
本発明は複数の刃を有する安全かみそりに関し、特に各刃の間隔をあけて支持する構造に関する。
【０００２】
【従来の技術】
複数の刃を有する安全かみそりは、使用中に刃の間にヒゲかすやクリ−ム等が溜るので、これらを効率良く排除しようとする安全かみそりが提案されている。特開２０００−３０８７７１公報において、複数の刃を離して支持する支持構造が示されている。この支持構造は、複数枚の刃と、この複数枚の刃を支持するフレ−ムとを有し、フレ−ムの開放した後方部分の間に複数の垂直リブが配置され、リブはスロットを有し、スロットは高さを異にして存在し、そのスロット内に刃の後縁部が取付けられた構成である。
【０００３】
【発明が解決しようとする課題】
従来の支持構造は上述した通りであって、リブに設けたスロット内に刃の後縁部が取付けられたものである。このように、スロットによって刃を固定する支持構造は、支持構造のいくつかを別々に製造して機械的に組立てることが困難であるから、刃を所定の位置に固定しプラスチックを射出することによって支持構造全体を刃と共に成型する。この射出成型によってカートリッジ替刃が製造されるのである。
【０００４】
ところが、カートリッジ替刃全体を射出成型によって一体に製造するための金型は非常に複雑となって費用が嵩むという欠点がある。また、射出成型時に複数の刃を間隔をあけて固定することも容易でなく歩留まりが悪くなる虞がある。そこで、本発明は支持構造を２つの部材に分けて製造し機械的に組立てることができる構成とし、金型が余り複雑にならないものを提供することを目的とする。さらには、刃は機械的な組立てを可能として歩留まりの悪化を防止することを目的とする。
【０００５】
さらに、複数の刃を有する安全かみそりは、刃間に詰まるヒゲかすを後方に効率的に排出するために各刃を途中で部分的に固定して、刃間の間隔を保持している。そのために刃の固定していない部分で刃が撓む虞がある。また、複数の刃を有する安全かみそりを組立てるときに刃を重ねるのであるが、刃を固定するよりも前に重ねた刃が振動でずれることがあり歩留まりを悪くしていた。そこで、本発明はこのような不都合が生じないように、安全かみそりの組立てを容易且つ確実に行うことができ、組立て後の刃は確実に固定される安全かみそりを提供することを目的とする。
【０００６】
【課題を解決するための手段】
本発明の請求項１は、ヘッドの刃台と天板の間に３枚以上の複数の刃を上下に重ね、天板に突設した突軸が各刃に設けられた孔を通って刃台に結合されており、刃台に突設した挟持台には最下刃を除く各刃に当接して天板側との間で前記各刃を挟持する挟持面を設け、天板の突軸には最上刃を除く各刃に当接して刃台側との間で各刃を挟持する挟持面を設け、刃台と天板との間で各刃を互いに間隔を開けて挟着した安全かみそりにおいて、各刃をずらすことにより下側の刃の孔に対してその上側の刃の孔が後方にずれるように各刃は重ねられ、前記挟持台は最上刃を除く各刃の孔を通って最上刃に当接し、且つ前記挟持台が前記突軸の前側に存在する状態で突軸と挟持台は同じ孔を通ってそれぞれ各刃を挟持する。
【０００７】
請求項２は、各刃の前記孔を含めた外形が同一である要素が請求項１に付加された構成である。
【０００８】
請求項３は、差込スペーサーがヘッドの後端開放口から刃の間に差し込まれ固定されている要素が請求項１又は請求項２に付加された構成である。
【０００９】
請求項４は、差込スペーサーの基端部から高さを異にして複数の差込片が突出し、各差込片は該当する各刃の間に差し込まれている要素が請求項３に付加された構成である。
【００１０】
請求項５は、上下に隣合う差込片の少なくとも一方の差込片は横方向に複数設けられ、前記上下に隣合う差込片は横方向に交互に並んでいる要素が請求項４に付加された構成である。
【００１１】
【発明の効果】
請求項１は、ヘッドの刃台と天板の間に３枚以上の複数の刃を上下に重ね、天板に突設した突軸が各刃に設けられた孔を通って刃台に結合されており、刃台に突設した挟持台には最下刃を除く各刃に当接して天板側との間で前記各刃を挟持する挟持面を設け、天板の突軸には最上刃を除く各刃に当接して刃台側との間で各刃を挟持する挟持面を設け、刃台と天板との間で各刃を互いに間隔を開けて挟着し、各刃をずらすことにより下側の刃の孔に対してその上側の刃の孔が後方にずれるように各刃は重ねられ、前記挟持台は最上刃を除く各刃の孔を通って最上刃に当接し、且つ前記挟持台が前記突軸の前側に存在する状態で突軸と挟持台は同じ孔を通ってそれぞれ各刃を挟持する。したがって、金型は余り複雑にならず、刃を固定して射出成型する必要ないので、製造が簡便であって上記従来品よりも安価に製造できる。また、歩留まりが悪くなることもない。
【００１２】
前述したように、近年、複数の刃を有する安全かみそりは、刃間に詰まるヒゲかすを後方に効率的に排出するために各刃の途中で部分的に固定し、刃間の間隔を保持している。そのために刃の固定していない部分で刃が撓む虞がある。請求項２は、差込スペーサーがヘッドの後端開放口から刃の間に差し込まれ固定されている。したがって、差込スペーサーを製造してそれを安全かみそりに装着するだけで簡単に各刃を確実に固定できる。
【００１３】
請求項４は、上下に隣合う差込片の少なくとも一方の差込片は横方向に複数設けられ、それらの上下に隣合う差込片は横方向に交互に並んでいる。したがって、上下に隣合う差込片が完全に重なっている場合に比べて、差込片をヘッドに容易に挿入することができる。
【００１４】
【発明の実施の形態】
次に本発明の実施の形態を図面に従って説明する。図面は３枚の刃を有するカートリッジ替刃に関するもので、このカートリッジ替刃が安全かみそりのヘッド５３に該当する。天板１は両側面部３，３の間に刃押え部４が延在し、両側面部３，３の両前端の間にガ−ド部本体５が前記天板の刃押え部４との間に開放口６を介して延在している。開放口６から刃の刃先縁が露出する。また、刃押え部４の上面に設けた凹部５０内にシェ−ビングエイド４９が固着されている。凹部５０の底には２本の突条が設けられているのでシェ−ビングエイド４９は強固に固着される。本発明がカートリッジ替刃に限定されることはなく、刃台とハンドルが一体形成された安全かみそりであってもよいことは勿論である。
【００１５】
図４は天板１の底面図であって、この図に示されている通り突軸７が刃押え部４の底面に４つ並べて設けられている。突軸７は刃台挿入部１３と共に天板の底面に一体の突起として突出している。また、天板側の刃挟持部８が両側面部３，３の底面であって突軸７よりも前寄りの位置に２つ設けられている。前述した通り突軸７と天板側の刃挟持部８は階段状に形成され、階段は第２挟持面と第１挟持面の２段を有している。突軸７は第２挟持面９が前寄りで第１挟持面１０が後寄りである。天板側の刃挟持部８も第２挟持面１１が前寄りで第１挟持面１２が後寄りである。後述するように、突軸７及び天板側の刃挟持部８の第２挟持面及び第１挟持面が各刃を挟持する作用をなす。
【００１６】
前記した通り符号１３は突軸の第２挟持面９から突出する刃台挿入部であって、刃及び刃台の孔に挿通して刃を刃台と天板１との間に固定するためのものである。断面は円形に限定されるものでなく四角形であってもよい。四角形のときは突軸７と同じ幅とすることが好ましい。また、符号１４はガ−ド部本体５の底面に設けられた突起であって刃台の孔に挿通して刃台２と天板１とを結合するためのものである。また、ガ−ド部本体５の表面にシェ−ビングエイド３３が存在するのでヒゲ剃りを円滑に行うことができる。
【００１７】
図８は刃台２の上面図であって、この図に示されている通り挟持台１６が上面の中ほどに４つ並べて設けられている。また、刃挟持部１７が上面の後端部に沿って４つ並べて設けられている。前述した突軸７及び天板側の刃挟持部８と同様に挟持台１６及び刃挟持部１７も階段状に形成され、階段は第２挟持面と第１挟持面の２挟持面を有している。挟持台１６は第２挟持面１８が後寄りで第１挟持面１９が前寄りである。刃挟持部１７も第２挟持面２０が後寄りで第１挟持面２１が前寄りである。
【００１８】
符号２２は孔であって、上述した刃台挿入部１３を挿通させるためのものである。また、符号２３は刃台のガ−ド基部２４に設けられた孔であって、上述した天板の突起１４を挿通させるためのものである。ガ−ド基部２４の先端に沿ってエラストマ−部３１が立ち上がるように設けられている。符号５２はエラストマ−部３１のはみ出し部であって、このはみ出し部が刃台２の溝に係合することによってエラストマ−部３１は刃台２に強固に固着される。ガ−ド基部２４とエラストマ−部３１とで形成される溝３２内に天板のガ−ド部本体５が嵌合されることによって、ガ−ド部の表面はエラストマ−部３１の表面とシェ−ビングエイド３３の面が平行に隣接して延在するように形成される。
【００１９】
カートリッジ替刃に使用される刃は２種類であって図１０に示した刃は上刃２５及び中間刃２６として使用される。この図１０の刃は５つの孔２８が並べて設けられ、両端に切欠３０，３０が設けられている。図１１に示した刃は下刃２７として使用される。この図１１の刃は２つの孔２９が並べて設けられ、両端に切欠４３，４３が設けられている。しかし、本発明の刃はこのような組み合わせに限定されるものではなく、どのような組み合わせであってもよいことは勿論である。したがって、例えばすべての刃が図１０のものであってもよく、あるいは図１１のものであってもよい。
【００２０】
図１２は、本発明の組立て方法を示したものである。図のように天板１は逆さに置かれ、まず上刃２５が天板１の底面１５（符号１５は図７に記載）に置かれる。このときに、上刃の５つの孔２８の中の、中央の両隣に設けられた孔２８，２８に突軸７が挿通される。
【００２１】
次に、中間刃２６が上刃２５よりもやや前方へずらした状態で置かれる。中間刃２６をずらしたことによって、仮に上刃２５を垂直に下方に移動させて中間刃２６に重ね合わせたときに上刃の孔の後ろ側隣接部３４と中間刃の孔の後ろ側隣接部３５とが全部重ならずに非重合部分が生じる。上刃を元に戻したときのその部分を非重なり部と定義して、非重なり部が存在することによって、孔２８に挿通するのは突軸７の刃台挿入部１３と第２挟持面９であって、第１挟持面１０は中間刃の孔の後ろ側隣接部３５に阻止されて中間刃を挟持する作用をなす。すなわち、中間刃の孔の後ろ側隣接部３５は突軸の第１挟持面１０に挟持される。このような挟持は、両端の切欠３０，３０の後ろ側隣接部３６，３６と天板の両側面部３，３の底面に設けた突軸７，７との間でも行われる。
【００２２】
中間刃２６をずらしたことによって、さらに、上刃の前縁部３７と中間刃の前縁部３８とが全部重ならずに非重なり部が生じる。非重なり部が存在することによって、中間刃の前縁部３８の両端は天板側の８刃挟持部の第１挟持面１２に挟持される。
【００２３】
中間刃２６を上述したように置いた後、下刃２７が中間刃２６よりもやや前方へずらした状態で置かれる。下刃２７をずらしたことによって、中間刃の孔の後ろ側隣接部３５と下刃の孔の後ろ側隣接部４２とが全部重ならずに非重なり部が生じる。非重なり部が存在することによって、孔２９に挿通するのは刃台挿入部１３のみであって、第２挟持面９は下刃の孔の後ろ側隣接部４２に阻止されて下刃２７を挟持する作用をなす。すなわち、下刃の孔の後ろ側隣接部４２は突軸の第２挟持面９に挟持される。このような挟持は、両端の切欠４３，４３の後ろ側隣接部３６，３６と天板の両側面部３，３の底面に設けた突軸７，７との間でも行われる。
【００２４】
下刃２７をずらしたことによって、さらに、中間刃２６の前縁部３８と下刃２７の前縁部３９とが重ならずに非重なり部が生じる。非重なり部が存在することによって、下刃の前縁部３９の両端は天板側の刃挟持部８の第２挟持面１１に挟持される。
【００２５】
上述したように、逆さに置かれた天板１に上刃２５、中間刃２６及び下刃２７をセットした後、天板１に刃台２を結合する。刃台２も逆さにして、刃台挿入部１３を刃台の孔２２に挿通し、突起１４を刃台の孔２３に挿通し、刃台底面に突出した刃台挿入部１３及び突起１４の先端をつぶして天板１と刃台２を結合する。
【００２６】
天板１と刃台２が結合されたときに、刃台の上面４６（図１２では下側の面）に設けられている刃挟持部１６の第２挟持面２０が、上刃２５と中間刃２６との非重なり部である上刃の後縁部４０及び孔の後ろ側隣接部３４に圧接し、第１挟持面２１が中間刃２６と下刃２７との非重なり部である中間刃の後縁部４１及び孔の後ろ側隣接部３５に圧接する。また、刃台の上面４６が下刃の孔の後ろ側隣接部４２に圧接する。
【００２７】
これと同時に、挟持台１６の第２挟持面１８が下刃の孔２９と中間刃の孔２８内を通過して上刃の孔の前側隣接部４５に圧接し、第１挟持面１９が下刃の孔２９を通過して中間刃の孔の前側隣接部４７に圧接する。また、刃台の上面４６が下刃の孔の前側隣接部４８に圧接する。さらに、挟持台１６が各刃の切欠の前側隣接部４４に圧接する。
【００２８】
以上のようにカートリッジ替刃を組立てることによって、各刃の孔の後ろ側隣接部３４，３５，４２は上下から圧接状態で挟まれ、各刃の前縁部３７，３８，３９の両端も上下から圧接される。また、各刃の孔の前側隣接部４５，４７，４８は下から圧接され、上刃の孔の前側隣接部４５は刃押え部４によって上からも圧接される。このように各刃に圧接することによって、各刃は確実に固定することができる。なお、本発明は３枚刃に限定されないことは勿論であって、２枚刃であってもよく４枚以上の刃を有するものであってもよいことは勿論である。４枚以上の刃のときは刃挟持部の階段の数を増やせばよい。
【００２９】
図１又は図１３に示したように、階段状の突軸７，天板側の刃挟持部８，挟持台１６，刃挟持部１７の第２挟持面及び第１挟持面をやや傾斜させることによって各刃が非平行となり、各刃から刃先縁の先に延びる延長線が刃先縁の先方で交差する。また、第２挟持面及び第１挟持面の傾斜を逆にすれば、各刃の延長線が刃先縁の先方に向って開くように設定することができる。下刃２７に対する中間刃２６の傾斜角、及び中間刃２６に対する上刃２５の傾斜角はそれぞれ５度程度以下であればよい。したがって、１度でも２度でも３度でも４度でもよい。好ましくは３度程度である。このことから、下刃２７に対する上刃の傾斜角は１０度程度以下となる。しかし、本発明はこの数値に限定されないことは勿論である。
【００３０】
図１４乃至図２３は請求項１９の発明を具体化した図である。３枚の刃を有する安全かみそりであって、上刃５４、中間刃５５及び下刃５６をずらして重ねる構成は前述した実施の態様とほぼ同じであるから省略する。図２１に示したように刃支持部５７，５７が前述の実施の態様に比べて丸みを帯びている点が異なっている。
【００３１】
図１６に示したようにスペーサー部材５８は小片状であってプラスチックで一体形成されており、中央に挿入穴５９が設けられ、後端に上向きの突部６０が設けられている。挿入穴５９は貫通孔であってもよく凹状であってもよい。この挿入穴５９に挿入される突起６１は天板６２の底面に設けられている。図２１に示したように突起６１の付け根に台座部６３が設けられている。台座部６３を設けた理由は、台座部６３を上刃５４と中間刃５５の間に介在させて、刃支持部５７，５７の階段状段部などと同様に上刃５４と中間刃５５の間に隙間を保持するためである。
【００３２】
刃支持部５７，５７の外側に補助突起６４，６４が一体に設けられており、階段状に第１段部６５と第２段部６６の段部が設けられている。この補助突起６４，６４は第２段部の段部が下刃５６に圧接して下刃を確実に固定する作用をなす。
【００３３】
次にスペーサー部材５８と他の部材の組立て方法について説明する。図２２は天板１を裏返した状態であって、上刃５４と中間刃５５が間隔をあけて重ねられている。図１４に示したようにスペーサー部材の突部６０が中間刃５５と上刃５４の非重なり部を介して上刃５４に当っており、突起６１がスペーサー部材の挿入穴５９に挿入されている。この状態で、中間刃５５はスペーサー部材５８に押さえられてずれる虞がない。この後、さらに下刃５６が重ねられ、両側の各刃台挿入部６７，６７及び前端の突起６８，６８が刃台の孔に挿入され嵌合されて、図１４のように組立てられる。
【００３４】
図１８は上刃５４であり、中央の孔６９は突起６１を挿通する孔であり、その両側の孔７０，７０は刃支持部５７，５７を挿通する孔であり、外側の孔７１，７１は補助突起６４，６４を挿通する孔である。図１９は中間刃５５であり、中央の孔７２は突起６１を挿通する孔であり、その両側の孔７３，７３は刃支持部５７，５７を挿通する孔であり、外側の孔７４，７４は補助突起６４，６４を挿通する孔である。図２０は下刃５６であり、中央寄りの孔７５，７５は刃支持部５７，５７を挿通する孔であり、外側の孔７６，７６は補助突起６４，６４の先端を挿通する孔である。これら補助突起６４，６４と各孔の作用によって各刃を支持する状態は図２３を見れば容易に理解できる。図２３の中央の図における突起６１の作用について説明する。図２３に示したように突起６１は中央に段部を有しており、その段部が中間刃５５を下方に押圧し、その押圧された中間刃５５がスペーサー部材５８を下方に押圧し、さらにその押圧されたスペーサー部材５８が下刃５６を押圧して下刃が浮き上がることを防止する。なお、スペーサー部材５８は１つに限定されるものでなく複数装着されても差し支えないことは勿論である。
【００３５】
図２４乃至図３１は請求項２０乃至請求項２２の発明を具体化した図である。この発明のヘッド５３は図３１に示したように後端開放口７７を有している。後端開放口７７は図３１のようにリブ７８によって部分的に遮蔽されたものでもよく、リブ７８が存在せずに後端開放口７７がヘッド５３の全幅に亘るものであってもよい。リブ７８は刃台７９に一体に形成されているがこの構成に限定されるものでなく、例えば天板８０に一体に形成されてもよい。
【００３６】
図２５乃至図２９は３枚の刃を有する安全かみそりに使用される差込スペーサー８１の構成を示す図である。差込スペーサー８１はプラスチックで一体に形成されており、基端部８２から高さを異にして２つの上段差込片８３，８３と１つの下段差込片８４がほぼ水平に突出し、上段差込片と下段差込片との間にはほぼ刃の厚みに相当する間隔が設けられている。下段差込片８４は２つの上段差込片８３，８３の間に存在し、下段と上段の各差込片は横方向に交互に並んでいる。差込スペーサー８１の両側にそれぞれ係止突部８５，８５が設けられている。この係止突部８５，８５は、ヘッド５３に装着されたときに前述したリブ７８に係止して、差込スペーサー８１がヘッド５３から抜け出すことを防止するためのものである。
【００３７】
図２８及び図２９から明らかなように、上段差込片８３及び下段差込片８４は共に先端に行くに従って厚みが徐々に薄くなるように形成されている。これは、図２４に示したように上刃８６、中間刃８７及び下刃８８の刃縁方向の各延長線が先方で交わる構成に対応するためである。
【００３８】
次に、差込スペーサー８１のヘッド５３への装着方法について説明する。差込スペーサー８１の幅は両リブ７８，７８の間に挿入し得る長さである。差込スペーサー８１は中央の後端開放口７７に差し込むようにして、差込スペーサーの上段差込片８３，８３を上刃８６と中間刃８７の間に差し込み、下段差込片８４を中間刃８７と下刃８８の間に差し込んで差込スペーサー８１をヘッド５３に装着する。差込スペーサー８１を一杯に差し込むと係止突部８５，８５がリブ７８，７８の裏面に係止するので装着後に差込スペーサー８１が抜け出すことがない。
【００３９】
差込スペーサーはこの構成に限定されないことは勿論であって、複数の差込スペーサーがヘッドに装着されてもよい。また、差込スペーサーの固定方法は前述の係止構造でなく、例えば上下差込片８３，８４の厚みを刃間の間隔よりも大きくして、無理嵌めによる固定であってもよい。
【図面の簡単な説明】
【図１】  図３のＢ−Ｂ断面図
【図２】  図３のＡ−Ａ断面図
【図３】  ヘッドの上面図
【図４】  天板の底面図
【図５】  天板の前面図
【図６】  天板の側面図
【図７】  図４におけるＣ−Ｃ断面図
【図８】  刃台の上面図
【図９】  図８におけるＤ−Ｄ断面図
【図１０】  上刃及び中間刃の上面図
【図１１】  下刃の上面図
【図１２】  ヘッドの組立て工程の説明図
【図１３】  ヘッドの組立て完了後の断面図
【図１４】  ヘッドの断面図
【図１５】  ヘッドの分解断面図
【図１６】  スペーサー部材の上面図、後面図及び側面図
【図１７】  スペーサー部材の断面図
【図１８】  上刃の上面図
【図１９】  中間刃の上面図
【図２０】  下刃の上面図
【図２１】  天板の底面図
【図２２】  裏返した天板に上刃、中間刃及びスペーサー部材を重ねた状態の上面図
【図２３】  ヘッドの組立て状態を示す部分断面図
【図２４】  ヘッドの断面図
【図２５】  差込スペーサーの上面図
【図２６】  差込スペーサー前面図
【図２７】  差込スペーサーの後面図
【図２８】  差込スペーサーの側面図
【図２９】  差込スペーサーの断面図
【図３０】  ヘッドから天板及び上刃を取り除いた状態の上面図
【図３１】  ヘッドの後面図
【符号の説明】
１  天板
２  刃台
３  側面部
４  刃押え部
５  ガ−ド部本体
６  開放口
７  突軸
８  刃挟持部
９  第２挟持面
１０  第１挟持面
１１  第２挟持面
１２  第１挟持面
１３  刃台挿入部
１４  突起
１５  天板の底面
１６  挟持台
１７  刃挟持部
１８  第２挟持面
１９  第１挟持面
２０  第２挟持面
２１  第１挟持面
２２，２３  孔
２４  ガ−ド基部
２５  上刃
２６  中間刃
２７  下刃
２８，２９  孔
３０  切欠
３１  エラストマ−部
３２  溝
３３  シェ−ビングエイド
３４，３５  孔の後ろ側隣接部
３６  切欠の後ろ側隣接部
３７，３８，３９  前縁部
４０，４１  後縁部
４２  孔の後ろ側隣接部
４３  切欠
４４  切欠の前側隣接部
４５  孔の前側隣接部
４６  刃台の上面
４７，４８  孔の前側隣接部
４９  シェ−ビングエイド
５０  凹部
５１  突条
５２  はみ出し部
５３  ヘッド
５４  上刃
５５  中間刃
５６  下刃
５７  刃支持部
５８  スペーサー部材
５９  挿入穴
６０  突部
６１  突起
６２  天板
６３  台座部
６４  補助突起
６５  第１段部
６６  第２段部
６７  刃台挿入部
６８  突起
６９，７０，７１，７２，７３，７４，７５，７６  孔
７７  後端開放口
７８  リブ
７９  刃台
８０  天板
８１  差込スペーサー
８２  基端部
８３  上段差込片
８４  下段差込片
８５  係止突部
８６  上刃
８７  中間刃
８８  下刃
【図１】
0004302363.tif 000002
【図２】
0004302363.tif 000003
【図３】
0004302363.tif 000004
【図４】
0004302363.tif 000005
【図５】
0004302363.tif 000006
【図６】
0004302363.tif 000007
【図７】
0004302363.tif 000008
【図８】
0004302363.tif 000009
【図９】
0004302363.tif 000010
【図１０】
0004302363.tif 000011
【図１１】
0004302363.tif 000012
【図１２】
0004302363.tif 000013
【図１３】
0004302363.tif 000014
【図１４】
0004302363.tif 000015
【図１５】
0004302363.tif 000016
【図１６】
0004302363.tif 000017
【図１７】
0004302363.tif 000018
【図１８】
0004302363.tif 000019
【図１９】
0004302363.tif 000020
【図２０】
0004302363.tif 000021
【図２１】
0004302363.tif 000022
【図２２】
0004302363.tif 000023
【図２３】
0004302363.tif 000024
【図２４】
0004302363.tif 000025
【図２５】
0004302363.tif 000026
【図２６】
0004302363.tif 000027
【図２７】
0004302363.tif 000028
【図２８】
0004302363.tif 000029
【図２９】
0004302363.tif 000030
【図３０】
0004302363.tif 000031
【図３１】
0004302363.tif 000032